(57)【要約】      （修正有）【課題】携帯しやすく、幅広く使用でき、袋の中での偏りを防止できる癒し器具を提供する。【解決手段】癒し器具１００は、袋体１を表側と裏側とを直線的に接合し、複数の区画２を形成し、この区画２内にパワーストーン３のさざれ石を封入したものである。区画２と区画２との間は表裏が接合した直線部４となるので、この直線部４に沿って簡単に折り曲げられる。【選択図】図１
0003156225.tif 000002
【実用新案登録請求の範囲】
【請求項１】
平面的な袋であってこの袋の表側と裏側とを接合して複数の区画を形成し、この区画ごとにパワーストーンのさざれ石を封入したことを特徴とする癒し器具。
【請求項２】
前記袋の表側と裏側とを接合する部分が複数の直線部であることを特徴とする請求項１に記載の癒し器具。
【請求項３】
前記袋の表側と裏側とを接合する部分が複数の直線部であり、当該直線部同士が直交することを特徴とする請求項１に記載の癒し器具。
【請求項４】
前記袋の表側と裏側とを接合する接合部が、袋に描くデザインの線と少なくとも一部で一致していることを特徴とする請求項１に記載の癒し器具。
【請求項５】
前記デザイン線は一部に曲線部分を有することを特徴とする請求項４に記載の癒し器具。
【考案の詳細な説明】
【技術分野】
【０００１】
本考案は、パワーストーンを用いた癒し器具に関するものである。
【背景技術】
【０００２】
最近はパワーストーン（登録商標）を用いて癒しを行うことが流行っている。ここでパワーストーンとは、宝石などの石であって身につけることで精神的な癒し効果を得られるものをいう。ユーザの中には、パワーストーンを身につけることで良い事が起こったり、災いから逃れることができたり、幸せになれたり等の信仰を持つ者もいる。一般的に、パワーストーンは、精神的な癒しが得られることから、これを携帯したり就寝時にそばに置いたりすることが多い。
【０００３】
しかしながら、パワーストーンそのものを携帯するのは嵩張るうえ、鞄等に収納し難いという問題点がある。また、就寝時に用いるといっても、せいぜい枕元におく程度であり、身に着けて寝ることは難しい。なお、真珠を袋に封入したものとしては、下記特許文献１に開示されたようなものがあるが、一方向に石が偏ってしまうという問題がある。
【先行技術文献】
【特許文献】
【０００４】
【特許文献１】特開２００７−３３０４４２号公報
【考案の概要】
【考案が解決しようとする課題】
【０００５】
解決しようとする問題点は、携帯し難く、使用用途も限られてしまう点である。また、袋に入れた場合には、中で石が偏ることである。
【課題を解決するための手段】
【０００６】
本考案は、平面的な袋であってこの袋の表側と裏側とを接合して複数の区画を形成し、この区画ごとにパワーストーンのさざれ石を封入したことを特徴とする。
【０００７】
また、本考案は、上記考案において、前記袋の表側と裏側とを接合する部分が複数の直線部であることを特徴とする。
【０００８】
また、本考案は、上記考案において、前記袋の表側と裏側とを接合する部分が複数の直線部であり、当該直線部同士が直交することを特徴とする。
【０００９】
また、本考案は、上記考案において、前記袋の表側と裏側とを接合する接合部が、袋に描くデザインの線と少なくとも一部で一致していることを特徴とする。また、前記デザイン線は一部に曲線部分を有することを特徴とする。
【考案の効果】
【００１０】
本考案の癒し器具によれば、携帯し易く且つ幅広く使用できると共に、袋の中での偏りを防止できるという利点がある。
【図面の簡単な説明】
【００１１】
【図１】この考案の実施の形態１にかかる癒し器具を示す平面図である。
【図２】図１に示した癒し器具の使用状態を示す説明図である。
【図３】この考案の実施の形態２にかかる癒し器具を示す平面図である。
【考案を実施するための形態】
【００１２】
図１は、この考案の実施の形態１にかかる癒し器具を示す平面図である。この癒し器具１００は、布製の長方形の袋体１を縦方向に一箇所および横方向に４箇所その表側と裏側とを直線的に縫合し、複数の区画２を形成すると共に、この区画２内にパワーストーンのさざれ石を封入したものである。このパワーストーン３のさざれ石は、小粒であり平均の径が１ｍｍ以上１０ｍｍ以下である。袋体１に用いる布は、肌触りが良く、吸水性が高いものが好ましい。また、中身のさざれ石が外部に飛び出ないように、布自体に帆布等の丈夫なものを用いるか、或いは内面に補強のための布を設けるのが良い。
【００１３】
パワーストーン３としては、アクアマリン、アクアブルー、アパタイト、翡翠、アメジスト、アンバー、雲母、エメラルド、オニキス、オパール、ガーネット
、水晶、コーラル、サファイア、シトリン、スギライト、ソーダライト、トルコ石、ダイヤモンド、トパーズ、トルマリン、パール、ラピスラズリ、ルビー等を用いることができる。
【００１４】
この癒し器具１００の区画２の数は縦２つ及び横６つとなる。例えば、各区画２の寸法は、縦方向８ｃｍ横方向とも５ｃｍである。そして区画２と区画２との間は表裏が縫合または接着された接合した直線部４となるので、この直線部４に沿って簡単に折り曲げられる。また、縦及び横方向に複数の区画２を設けることで、パワーストーン３のさざれ石が袋体１の中に一部に偏るようなことが無くなる。
【００１５】
次に、この癒し器具１００の使用方法について説明する。この癒し器具１００は、袋体１の各区画２にパワーストーン３のさざれ石を封入することで、パワーストーン３を全体的に平面的に収納できるので、パワーストーン３を広い面積に対して用いることが可能となる。例えば、図２に示すように、袋体１をユーザＵの額の上にのせて用いることができるし、枕の上に敷いて寝ることもできるし、鞄に平面的に入れることもできる。使用場所は、自宅、外出先、病院、仕事場等であり限定されない。更に、使用部位は前記例に限定されず、目の上、腰の上、おなかの上、手の上、のどの上等に載せて使用することもできる。上記のような構造とすることで、癒し器具１００を携帯しやすく、その使用範囲を広げることができる。
【００１６】
また、表裏面を直線的に縫合して各区画２を形成しているので、当該縫合した部分で自由に折り曲げることができる。図１の例の場合、縦横方向に縫合又は接着した直線部４が形成されているので、例えば横方向では直線部４でロール状または蛇腹状に折り曲げて、コンパクトにできる。また、縦方向に折り曲げても同様にコンパクトにできる。
【００１７】
以上、この考案の癒し器具１００では、パワーストーン３のさざれ石を袋体１の各区画２に収納し、直線部４で折り曲げて袋体１をコンパクトにできるので、携帯に便利で且つ広範に使用できるものとなる。また、パワーストーン３のさざれ石が袋体１の中に一部に偏るようなことが無くなる。
【００１８】
また、上記袋体１は布製としたが、透明または半透明の合成樹脂の袋とし、内部のパワーストーン３の色彩等が見えるようにしても良い。
【００１９】
（実施の形態２）
図３は、この考案の実施の形態２にかかる癒し器具を示す平面図である。この癒し器具２００は、様々な形状の袋体２０１に所定のデザインを施し、そのデザインを構成する線部５を袋体２０１の表側と裏側との接合部４とし、当該袋体１に複数の区画２を形成した点に特徴がある。封入するパワーストーン３は実施の形態１の場合と同様である。
【００２０】
具体的には、袋体２０１の形状及び表面のデザインの線部５が、図３の（ａ）では蛙の顔、（ｂ）では花、（ｃ）ではハート、（ｄ）では楕円、(ｅ）では円となる。このようにすれば、区画２によりデザインが拘束されたり、デザイン上に区画２の線が出ることで見た目が悪くなるのを防止できる。使用方法は上記実施の形態１と同様である。特に、同図に示すような曲線部分を多く有する形状の場合には、区画２の内部でパワーストーン３のさざれ石が移動に難くなるので、パワーストーン３の区画２内での偏りが防止される。
【符号の説明】
【００２１】
１００  癒し器具
１  袋体
２  区画
３  パワーストーン
４  直線部
【図１】
0003156225.tif 000003
【図２】
0003156225.tif 000004
【図３】
0003156225.tif 000005